(57)【特許請求の範囲】
【請求項１】
スライド部材収納部を設けた保持部材と、スライド部材収納部にスライド自在に嵌め込まれるスライド部材を備えたスライド部材保持装置であって、
スライド部材に抜け止め部を設け、このスライド部材を、本体部のスライド方向の一端部から折取り又は折曲げを可能とする折取り・折曲げ用端部を一体に連設して構成し、
保持部材にスライド部材収納部に開口する取外し用開口部を形成すると共に、保持部材に、スライド部材をスライド部材収納部にスライド自在に嵌め込んだ状態で、スライド部材が取外し用開口部から抜けるのを阻止するための抜け防止部を設け、
スライド部材をスライドさせて前記取外し用開口部に折取り・折曲げ用端部を位置させた状態で折取り・折曲げ用端部を折取り又は折り曲げさせることを可能とし、
折取り・折曲げ用端部を折取り又は折曲げた状態における本体部のスライド部材収納部内における所定のスライド位置で、抜け防止部による抜け止め部の抜け止めが解除されると共に、取外し用開口部から本体部を取り外し可能として成ることを特徴とするスライド部材保持装置。
【請求項２】
請求項１記載のスライド部材保持装置を用いたロック装置付きの折り畳みコンテナであって、
ロック装置を、折り畳みコンテナの一側板の端部に設けたスライド部材保持装置と、折り畳みコンテナの他の側板に設けたロック受け部材とで構成し、
スライド部材保持装置のスライド部材にロック部を設け、ロック受け部材にロック部が係止自在なロック受け部を設け、
スライド部材のスライドによりロック部とロック受け部とが係止したロック状態と、ロック部がロック受け部から離脱した非ロック状態とを選択自在として成ることを特徴とするスライド部材保持装置を用いたロック装置付きの折り畳みコンテナ。
【発明の詳細な説明】
【技術分野】
【０００１】
本発明は、スライド部材をスライド自在に保持するスライド部材保持装置及びスライド部材保持装置を用いたロック装置付きの折り畳みコンテナに関するものである。
【背景技術】
【０００２】
従来から、スライド部材をスライド自在に保持するスライド部材保持装置及びスライド部材保持装置を用いたロック装置付きの折り畳みコンテナが特許文献１等により知られている。
【０００３】
この特許文献１に示されたスライド部材保持装置は、起倒用側板の端部と折り畳み用側板の端部とを連結したり、連結解除を行うためのロック装置の一構成要素として開示してある。
【０００４】
すなわち、特許文献１に示されたスライド部材保持装置は、起倒用側板に設けたロック部材収納部に、スライド部材としてのロック部材をスライド自在に嵌め込み、ロック部材をスライドさせて一端部のロック部をロック部材収納部に設けた出入り用開口部から突出自在としたものである。
【０００５】
そして、ロック部材を一方向にスライドさせてロック部を突出させることで、折り畳み用側板のロック用凹部に嵌め込んでロックし、ロック部材を他方向にスライドさせてロック部を後退させることで、ロック用凹部からロック部を抜いてロック解除を行うようになっている。
【先行技術文献】
【特許文献】
【０００６】
【特許文献１】特開２００９−１２６５１９号公報
【発明の概要】
【発明が解決しようとする課題】
【０００７】
上記従来例にあっては、ロック部材を一方向にスライドさせた場合、及び、他方向にスライドさせた場合のいずれにおいても、ストッパによりロック部材がロック部材収納部から脱離しないような構造となっている。
【０００８】
したがって、ロック部材が破損した場合、ロック部材のみを交換しようとしても、ロック部材をロック部材収納部から簡単に取り外すことができず、ロック部材の交換のみでスライド部材保持装置の再利用ができず、更に、このスライド部材保持装置を用いたロック装置付きの折り畳みコンテナの再利用ができなかった。
【０００９】
本発明は、上記の従来例の問題点に鑑みて発明したものであって、その目的とするところは、スライド部材が破損した際に簡単にスライド部材のみを取り外し、新たなスライド部材に交換することで再利用することができるスライド部材保持装置及びスライド部材保持装置を用いたロック装置付きの折り畳みコンテナを提供することにある。
【課題を解決するための手段】
【００１０】
本発明のスライド部材保持装置は、スライド部材収納部１を設けた保持部材２と、スライド部材収納部１にスライド自在に嵌め込まれるスライド部材３を備えたスライド部材保持装置４であって、スライド部材３に抜け止め部６を設け、このスライド部材３を、本体部５のスライド方向の一端部から折取り又は折曲げを可能とする折取り・折曲げ用端部７を一体に連設して構成し、保持部材２にスライド部材収納部１に開口する取外し用開口部８を形成すると共に、保持部材２に、スライド部材３をスライド部材収納部１にスライド自在に嵌め込んだ状態で、スライド部材３が取外し用開口部８から抜けるのを阻止するための抜け防止部９を設け、スライド部材３をスライドさせて前記取外し用開口部８に折取り・折曲げ用端部７を位置させた状態で折取り・折曲げ用端部７を折取り又は折り曲げさせることを可能とし、折取り・折曲げ用端部７を折取り又は折曲げた状態における本体部５のスライド部材収納部１内における所定のスライド位置で、抜け防止部９による抜け止め部６の抜け止めが解除されると共に、取外し用開口部８から本体部５を取り外し可能として成ることを特徴とする。
【００１１】
このような構成とすることで、スライド部材３が破損した場合、折取り・折曲げ用端部７を折取り又は折曲げることで、スライド部材３を再利用できない形状とし、これにより本体部５を抜け防止部９による抜け止め部６の抜け防止が解除される位置までスライドさせて、取外し用開口部８から本体部５を取り外すことができる。
【００１２】
また、本発明のスライド部材保持装置を用いたロック装置付きの折り畳みコンテナは、ロック装置１１を、折り畳みコンテナ５０の一側板５１の端部に設けた上記構成のスライド部材保持装置４と、折り畳みコンテナの他の側板５１に設けたロック受け部材１２とで構成し、スライド部材保持装置４のスライド部材３にロック部１３を設け、ロック受け部材１２にロック部１３が係止自在なロック受け部１５を設け、スライド部材３のスライドによりロック部１３とロック受け部１５とが係止したロック状態と、ロック部１３がロック受け部１５から離脱した非ロック状態とを選択自在として成ることを特徴とする。
【００１３】
このような構成とすることで、ロック部１３を有するスライド部材３が破損した場合、折取り・折曲げ用端部７を折取り又は折曲げて、折取るか又は折曲げることで、スライド部材３を再利用できない形状とし、これにより本体部５を抜け止め部６と抜け防止部９のスライド係止が解除される位置までスライドさせて、取外し用開口部８から本体部５を取り外して新たなスライド部材３と交換するのを可能とする。これにより、ロック装置付きの折り畳みコンテナの再使用が可能となる。
【発明の効果】
【００１４】
本発明は、上記のように構成したので、スライド部材が破損した場合、折取り・折曲げ用端部を折取り又は折曲げてスライド部材を再利用できない形状とし、簡単に取外し用開口部から本体部を取り外し、新たなスライド部材に交換することでスライド部材保持装置の再使用が可能となる。
【００１５】
また、スライド部材保持装置を用いたロック装置付きの折り畳みコンテナにおいては、スライド部材保持装置の再使用が可能なので、折り畳みコンテナの再使用が可能となる。
【図面の簡単な説明】
【００１６】
【図１】本発明のスライド部材保持装置を用いたロック装置を示し、（ａ）はスライド部材をロック方向にスライドさせた状態の斜視図であり、（ｂ）はスライド部材をロック解除方向にスライドさせた状態の斜視図である。
【図２】（ａ）は同上の表面側から見た分解斜視図であり、（ｂ）は背面側から見た分解斜視図である。
【図３】同上のロック状態を示す正面図である。
【図４】（ａ）は同上の図３のＸ−Ｘ線断面図であり、（ｂ）は図３のＹ−Ｙ線断面図である。
【図５】同上のロック解除状態を示す正面図である。
【図６】（ａ）は同上の図５のＸ−Ｘ線断面図であり、（ｂ）は図５のＹ−Ｙ線断面図である。
【図７】同上に用いるスライド部材を示し、（ａ）は表面側から見た斜視図であり、（ｂ）は背面側から見た斜視図であり、（ｃ）は断面図である。
【図８】同上に用いる保持部材の斜視図である。
【図９】同上のスライド部材を折取り・折曲げ用端部が取外し用開口部に対応する位置に移動して折取り・折曲げ用端部を折取った後に本体部を取出し用開口部に対応する位置に移動した状態の正面図である。
【図１０】（ａ）は同上の図９のＹ−Ｙ線断面図であり、（ｂ）は図９の状態で本体部を取り出しよう開口部から手前に取り出した状態の断面図である。
【図１１】同上のロック装置を備えた折り畳みコンテナの一実施形態の斜視図である。
【図１２】同上の展開図である。
【図１３】同上の側板を起立させてロックする前の状態の斜視図である。
【図１４】同上の折り畳みコンテナに備えたロック装置のスライド部材をロック方向にスライドさせた状態の斜視図である。
【図１５】同上のスライド部材をロック解除方向にスライドさせた状態の斜視図である。
【図１６】同上のスライド部材を折取り・折曲げ用端部が取外し用開口部に対応する位置に移動して折取り・折曲げ用端部を折曲げた状態の斜視図である。
【図１７】同上の折取り・折曲げ用端部を折取り除去した後に本体部を取出し用開口部に対応する位置に移動して取り外す状態を示す斜視図である。
【発明を実施するための形態】
【００１７】
本発明のスライド部材保持装置４は、スライド部材収納部１を設けた保持部材２と、スライド部材収納部１にスライド自在に嵌め込まれるスライド部材３を備えている。
【００１８】
添付図面に示す実施形態は、図１乃至図１０に上記スライド部材保持装置４を備えたロック装置１１の例を示し、更に、図１１乃至図１７にこのロック装置１１を折り畳みコンテナ５０における側板５１同士のロック機構として適用した例を示している。
【００１９】
以下、添付図面に基づいて詳細に説明する。
【００２０】
まず、図１乃至図１０に基づいてスライド部材保持装置４を備えたロック装置１１につき説明する。
【００２１】
スライド部材保持装置４の構成要素であるスライド部材３と、保持部材２は別部材であり、それぞれ合成樹脂により別々に形成してある。
【００２２】
スライド部材３は図７に示すようなもので、主体を構成する本体部５と、この本体部５のスライド方向の一端部に折取り又は折曲げを可能とする折取り・折曲げ用端部７を本体部５から一体に連設してスライド部材３を構成している。
【００２３】
スライド部材には抜け止め部６が設けてある。添付図面に示す実施形態では、本体部５に抜け止め部６を設けている。
【００２４】
もちろん、本体部５に加えて折取り・折曲げ用端部７に抜け止め部６を設けてもよい。
【００２５】
本体部５は正面視長方形又は正方形をした板状をしており、図７においては、本体部５にスライド方向に沿って抜け止め部６が設けてある。
【００２６】
図７に示す実施形態では、スライド方向に細長い突起を本体部５の上下両端面にそれぞれ上方又は下方に突出して抜け止め部６が設けてある。図７において、この抜け止め部６は、本体部５の上面端面のスライド方向の長さよりも短く、抜け止め部６の後述の折取り・折曲げ用端部７が連出した方の端部と反対側の端部より折取り・折曲げ用端部７に引き込んだ位置となっている。
【００２７】
本体部５の表面側にはスライド用操作部１６が設けてあり、図７の実施形態では表面側に表面側凹所１７を形成して、この表面側凹所１７でスライド用操作部１６を構成している。
【００２８】
本体部５の裏面側には弾性を有する係合片１８を設けてあり、この係合片１８は一端部が自由端となり且つ他端部を本体部５に一体に連設してスライド方向とほぼ平行に形成してある。係合片１８の自由端に係合部１９を設けてある。
【００２９】
本体部５の裏面側には上記係合片１８が弾性変形した際に係合片１８が入り込む裏面側凹所２０が設けてあり、この裏面側凹所２０を設けることで係合片１８の弾性変形を可能としている。
【００３０】
本体部５のスライド方向の一方の端面２１（後述の折取り・折曲げ用端部７が連出した方の端部と反対側の端面）に、ロック部１３となる突部をスライド方向に突出している。
【００３１】
本体部５のスライド方向の他方の端部には、折取り又は折曲げを可能とする折取り・折曲げ用端部７を本体部５から一体に連設している。
【００３２】
本体部５から折取り・折曲げ用端部７を一体に連設している部分には折取り又は折り曲げを可能とする折取り・折曲げ部２３が形成してある。
【００３３】
図７に示す実施形態では、本体部５から折取り・折曲げ用端部７を一体に連設している部分を、折取り・折曲げ用端部７、本体部５の他の部分よりも肉厚が薄い薄肉部２４とすることで、折取り・折曲げ部２３を構成している。
【００３４】
本実施形態では上記のように折り曲げ部２３を他の部分よりも肉厚が薄い薄肉部２４で構成した例を示しているが、必ずしもこれにのみ限定されず、折り曲げ易くするための従来から公知の種々の方法を採用することができる。例えば、同じ肉厚であっても溝を設ける等により折り曲げ易くしてもよい。
【００３５】
図７に示す実施形態では、折取り・折曲げ用端部７の背面部にリブ２５を形成してあるが、折取り・折曲げ用端部７を一体に連設している部分においてリブ２５にレ字状をした切欠部２６を形成し、折取り・折曲げ用端部７を折取り・折曲げ部２３部分で折取ったり、折曲げたりできるようにしている。
【００３６】
ここで、図７（ｃ）に示すように、上記切欠部２６の底部が薄肉部２４よりも背面部側に若干突出した位置とすると、本体部５から折取り・折曲げ用端部７を一体に連設した部分において、切欠部２６の底部部分のみが薄肉部２４よりわずかに肉厚な部分２７となり、これにより所定の外力を折取り・折曲げ用端部７に加えない限り、折取り・折曲げ用端部７が折取り・折曲げ部２３部分で不用意に折取られたり、あるいは折曲げられたりしないようにできる。
【００３７】
もちろん、切欠部２６の底部部分を薄肉部２４まで至るように形成してもよい。
【００３８】
折取り・折曲げ部２３を構成する薄肉部２４を形成するための溝や切欠部２６は折取り・折曲げ用端部７の背面側に形成してあり、表面側からは薄肉部２４や切欠部２６の存在が判らないようにして、いたずら等で折取り・折曲げ用端部７が折取られたり、折曲げられたりしないようになっている。
【００３９】
また、折取り・折曲げ用端部７の折取り・折曲げ部２３と反対側の端面２２の上下両端部にはスライド方向に向けてそれぞれ外れ防止突起２８を突設しており、折取り・折曲げ用端部７の端部の背面部の上記上下の外れ防止突起２８間に図７（ｂ）に示すように表面側から指やドライバーのような治具を入れるための差込用凹部２９を形成している。
【００４０】
また、折取り・折曲げ用端部７の背面側にはガイド突起３６を突設している。
【００４１】
保持部材２は図８に示すようにスライド部材収納部１を有している。
【００４２】
添付図面に示す実施形態において、保持部材２に表面側が開口した横長の凹溝３１（図においては左右方向に長い長方形となっている）を形成し、この凹溝３１によりスライド部材収納部１を構成した例を示している。凹溝３１の保持部材２の表面側の開口の一部又は全部が取り出し用開口部８となっている。添付図面に示す実施形態では、凹溝３１の保持部材２の表面側の開口の一部である図３、図５、図９、図１０（ｂ）においてＡで示す範囲が取り出し用開口部８となっている。
【００４３】
保持部材２には更に上記凹溝３１の長手方向の一端部に隣接して連結用嵌め込み凹部３２を形成しており、この連結用嵌め込み凹部３２は一側が開口していて凹溝３１と連通し、また、背面側に外部に開口する背面開口部を形成している。
【００４４】
凹溝３１の長手方向の他端部（上記連結用嵌め込み凹部３２と反対側の端部）の略中央部には指やドライバーのような治具を入れるための差し入れ凹部３３を形成してあり、この差し入れ凹部３３は一側が凹溝３１に連通するように開口し且つ表面側にも開口している。
【００４５】
凹溝３１の長手方向の他側部の中央部に設けた差し入れ凹部３３の両側は段部となっていて、この段部の凹溝３１に面する側面のストッパ部３４となっており、更に、図１（ａ）に示すように段部の側面の背方にずれた位置に係止孔３５が設けてある。
【００４６】
凹溝３１の奥面には係合孔よりなる出側被係合部３７、係合孔よりなる入側被係合部３８を横方向に並設し、更に、横長のガイド孔３９を設けている。
【００４７】
保持部材２には抜け防止部９を設けている。
【００４８】
添付図面に示す実施形態では、凹溝３１の上内面及び下内面の表面側の端部にレールとなる突起を設けて抜け防止部９を構成している。
【００４９】
この抜け防止部９は凹溝３１の長手方向の一部に設けてあり、凹溝３１の表面側の開口のうち抜け防止部９の端部とストッパ部３４との間の部分がスライド部材差し込み用開口８ａとなっている。つまり、添付図面に示す実施形態では、図３、図５、図９、図１０（ｂ）においてＡの範囲で示す取外し用開口部８の一部がスライド部材差し込み用開口８ａとなっており、また、Ａの範囲で示す取外し用開口部８のうち上記スライド部材差し込み用開口８ａ以外の部分にも抜け防止部９が形成してある例を示している。
【００５０】
また、凹溝３１の上内面及び下内面の連結用嵌め込み凹部３２側の端部にはガイド突部４０を突設している。
【００５１】
更に、保持部材２は取付け部４１を形成している。図に示す実施形態では保持部材２の連結用嵌め込み凹部３２と反対側の側部及び下部に側方及び下方に開口する嵌め込み溝部４２を形成して取付け部４１を形成している。また、この取付け部４１には固着孔４３を形成している。
【００５２】
上記の構成の保持部材２のスライド部材収納部１を構成する凹溝３１内に、上記スライド部材３をスライド自在に嵌め込んでスライド部材保持装置４を構成する。
【００５３】
ところで、取外し用開口部８の長手方向の中央部の上下に抜け防止部９が存在するので、この部分の取外し用開口部８の上下巾が狭くなり、取外し用開口部８の前方にスライド部材３を位置させてそのまま取外し用開口部８から凹溝３１内に入れようとしても、スライド部材３に設けた抜け止め部６に当って入れることができない。
【００５４】
そこで、本発明においては、スライド部材３の嵌め込みに当って、取外し用開口部８の一部である抜け防止部９の無いスライド部材差し込み用開口８ａ部分から、スライド部材３をロック部１３側を先にして凹溝３１内に差し込む。この場合、スライド部材３又は保持部材２の少なくとも一方が弾性変形可能（実施形態ではスライド部材３が弾性変形可能）となっていて、弾性変形を利用して差し込むことで、スライド部材３を凹溝３１内に嵌め込むことができる。
【００５５】
また、他の方法としては、スライド部材３のロック部１３を連結用嵌め込み凹部３２内に突入させた状態で、本体部６を抜け止め部５が抜け防止部９を乗り越えるように凹溝３１内に押し込むことで、凹溝３１内にスライド部材３を嵌め込むようにしてもよい。
【００５６】
スライド部材３を凹溝３１内にスライド自在に嵌め込んだ状態で、スライド部材３は凹溝３１の奥面と抜け防止部９を構成するレールとの間に位置し、スライド部材３に設けた抜け止め部６が抜け防止部９にスライド自在に係止し、スライド部材３が取外し用開口部８から脱落しないようになっている。
【００５７】
つまり、スライド用操作部１６を構成する表面側凹所１７に指を掛けてスライド部材３を一方側にスライドさせる（図１（ａ）の状態）と、図４（ａ）に示すように、ロック部１３が連結用嵌め込み凹部３２内に突出する。このようにスライド部材３を一方側にスライドさせてロック部１３を連結用嵌め込み凹部３２内に突出させる際に、本体部５のロック部１３を突出した方の端部の上下端面が上下のガイド突部４０間に嵌まり込んでスライドすることで、ロック部１３が上下方向の位置決めがなされた状態で連結用嵌め込み凹部１３に突出するようになっている。
【００５８】
また、スライド部材３を他方側にスライドさせる（図１（ｂ）の状態）と、図６に示すように、ロック部１３が凹溝３１に没入するように構成してあるが、このスライド部材３の一方向へのスライド及び他方向へのスライドのいずれの場合も抜け止め部６が抜け防止部９に係止して取外し用開口部８から脱落しない。
【００５９】
また、スライド部材３を一方側にスライドさせてロック部１３を連結用嵌め込み凹部３２内に突出させた状態で、係合片１８の自由端に設けた係合部１９が凹溝３１の奥面に設けた出側被係合部３７に係合してロック部１３の突出状態を保持する。
【００６０】
また、上記スライド部材３を一方側にスライドさせてロック部１３を連結用嵌め込み凹部３２内に突出させた状態で、外れ防止突起２８が係止孔３５から抜け出た状態となっている。
【００６１】
一方、スライド部材３を他方側にスライドさせてロック部１３を凹溝３１内に没入させると、係合片１８が弾性変形して係合部１９が出側被係合部３７から離脱し、入側被係合部３８に係合してロック部１３の没入状態を保持する。
【００６２】
この場合、折取り・折曲げ用端部７の端面２２がストッパ部３４に当り、それ以上のスライド部材３の他方側へのスライドを阻止している。
【００６３】
また、スライド部材３を他方側にスライドさせてロック部１３を凹溝３１内に没入させた状態で、外れ防止突起２８が係止孔３５に差し込まれて係止する。
【００６４】
また、ガイド突起３６がガイド孔３９にスライド自在に嵌め込まれ、上記スライド部材３のスライドをガイドする。
【００６５】
上記のようにして組立てられたスライド部材保持装置４はロック装置１１の一構成部材として用いられる。つまり、ロック装置１１は上記スライド部材保持装置４とロック受け部材１２とで構成する。
【００６６】
ロック受け部材１２は図２に示すようなもので、一側面部から連結用嵌め込み突部４４を突設している。この連結用嵌め込み突部４４にはロック受け部１５を構成する孔を形成している。
【００６７】
また、ロック受け部材１２は取付け部４６を形成している。図に示す実施形態ではロック受け部材１２の連結用嵌め込み突部４４と反対側の側部及び下部に側方及び下方に開口する嵌め込み溝部４７を形成して取付け部４６を形成している。また、この取付け部４６には固着孔４８を形成している。
【００６８】
上記構成のロック装置１１は、折り畳みコンテナ５０の隣り合う側板５１、５１同士を着脱自在にロックするために用いられる。
【００６９】
折り畳みコンテナ５０は、図１１、図１２に示す実施形態では底板５２の４辺にそれぞれヒンジ部５３を介して側板５１を折り畳み自在に連設して構成している。
【００７０】
この折り畳みコンテナ５０の隣り合う側板５１のうち一方の側板５１ａの端部の上隅部にスライド部材保持装置４を取付け、隣り合う側板５１のうち他方の側板５１ｂの端部の上隅部にロック受け部材１２を取付ける。
【００７１】
一方の側板５１ａの端部の上隅部はＬ状に切欠してあり、このＬ状切欠部にスライド部材保持装置４の保持部材２の嵌め込み溝部４２を嵌め込み、固着孔４３から固着具を挿入して保持部材２を側板５１ａの上隅部に取付ける。
【００７２】
また、他方の側板５１ｂの上隅部にロック受け部材１２の嵌め込み溝部４７を嵌め込み、固着孔４８から固着具を挿入してロック受け部材１２を側板５１ｂの上隅部に取付ける。
【００７３】
そして、各側板５１（側板５１ａ、５１ｂ）を起立させ、隣り合う側板５１ａの背面の一端部に他方の側板５１ｂの側面部を直角に突き合わせると共に、連結用嵌め込み突部４４を連結用嵌め込み凹部３２に嵌め込む。
【００７４】
この状態で、スライド部材３を図１４のように一方向にスライドさせて前述のようにロック部１３を連結用嵌め込み凹部３２内に突出させてロック受け部１５に嵌め込むことでロックする。
【００７５】
これにより、起立姿勢の隣り合う側板５１ａ、５１ｂ同士を直角に連結してコンテナを組立てることができる。
【００７６】
ロックを解除するには、スライド部材３を図１５のように上記と逆方向にスライドさせることで、前述のようにロック部１３を凹溝３１内に没入してロック受け部１５とのロックを解除する。
【００７７】
このロック解除状態で、図１２に示すように各側板５１を倒してコンパクトに折り畳むことができる。
【００７８】
ところで、上記構成のロック装置１１において、スライド部材３の一部、特に、ロック部１３が損傷し、ロック装置１１としての機能が阻害され、折り畳みコンテナ５０として使用できなくなる場合がある。
【００７９】
このような場合は、スライド部材３の折取り・折曲げ用端部７を折取り又は折り曲げることで、本体部５をスライド部材収納部１を構成する凹溝３１の表面側の取外し用開口部８から取り出すことができる。
【００８０】
スライド部材３の折取り・折曲げ用端部７を折取り又は折り曲げるに当っては、スライド部材３を一方向にスライドさせてロック部１３を連結用嵌め込み凹部３２内に突出させ、外れ防止突起２８を係止孔３５から脱出させた状態で、差し入れ凹部３３から指やドライバーのような治具を入れて、折取り・折曲げ用端部７の背面側に設けた差込用凹部２９に差し込み、この状態で、指や治具で折取り・折曲げ用端部７の端部を表面側に引っ張ることで、折取り・折曲げ用端部７を、折取り・折曲げ部２３部分から図１６のように表面側に折り曲げたり、あるいは、折取り・折曲げ部２３部分で折取ることができる。
【００８１】
このように、折取り・折曲げ用端部７を折取り又は折曲げた状態で、図１７のようにスライド部材３を他方向にロック部１３と反対側にスライドさせる。この場合、折取り・折曲げ用端部７を折取り又は折曲げた後の本体部５の側端面をストッパ部３４に当接又は近づけるまでスライドすると、抜け止め部６と抜け防止部９の係止が解除される。
【００８２】
この抜け止め部６と抜け防止部９の係止が解除された状態では、本体部５には抜け防止部９の表面側に重複する部位が存在しないので、本体部５を取外し用開口部８から外に取り出すことができる。
【００８３】
その後、新しいスライド部材３を前述の説明と同様にして、弾性変形を利用して、スライド部材３をロック部１３側を先にしてスライド部材差し込み用開口８ａ部分から凹溝３１内に差し込む。
【００８４】
このように、破損したスライド部材３のみを簡単に取り外して交換することで、ロック装置１１の一構成部材であるスライド部材保持装置４の再使用が可能となり、このスライド部材保持装置４を用いたロック装置１１付きの折り畳みコンテナ５０の再使用が可能となる。
【００８５】
上記実施形態では、凹溝３１の上内面及び下内面の表面側の端部にレールとなる突起を設けて抜け防止部９を構成した例を示したが、保持部材２の表面の凹溝３１に対応する部分に凹溝３１に連通する取り出し用開口部８と、凹溝３１の表面側を閉塞する表面側壁部とを設け、この表面側壁部を抜け防止部９としてもよい。この場合、スライド部材３のスライド時に上記抜け防止部９を構成する表面側壁部に重なる部分が抜け止め部６となる。
【００８６】
また、上記実施形態では、本体部５の裏面側に自由端である先端部に係合部１９を設けた弾性を有する係合片１８を設けた例を示したが、本体部５の表面側に係合片１８を設けてもよい。この場合、上記表面側壁部に係合孔よりなる出側被係合部３７、係合孔よりなる入側被係合部３８を設けてもよい。
【００８７】
また、係合片１８を本体部５に設けるのではなく、折取り・折曲げ用端部７の表面側又は裏面側に設けてもよい。この場合は、凹溝３１の奥面又は上記表面側壁部に出側被係合部３７、入側被係合部３８を設ける。
【００８８】
なお、スライド部材収納部１を構成する凹溝３１のスライド方向の端部が、保持部材２を合成樹脂で一体に成形する際には開口していてスライド部材３が挿入できるようになっていてもよい。この場合は、該スライド方向の開口はスライド部材３が抜けないように別部材で遮蔽する。遮蔽に当っては、例えば、保持部材２を折り畳みコンテナ５０に取付けることで、側板５１の一部で上記スライド方向の開口を閉じるようにする。もちろん、側板５１とは別の部材で遮蔽してもよい。
【００８９】
また、上記実施形態では、スライド部材保持装置４の保持部材２と側板５１ａが別部材で、保持部材２を側板５１ａに取付けた例を示したが、側板５１ａに保持部材２を一体に形成したものであってもよい。
【００９０】
また、ロック受け部材１２と側板５１ｂが別部材で、ロック受け部材１２を側板５１ｂに取付けた例を示したが、側板５１にロック受け部材１２に一体に形成したものでもよい
ところで、スライド部材保持装置４を用いたロック装置１１付の折り畳みコンテナ５０としては、添付図面に示されるものにのみ限定されない。つまり、従来から公知の種々の形態の折り畳みコンテナ５０における側板５１同士をロックするものとして、本発明のスライド部材保持装置４を用いたロック装置１１を適用できるのはもちろんである。
【００９１】
また、本発明のスライド部材保持装置４を用いたロック装置１１は、折り畳みコンテナ５０以外のものに適用してもよい。つまり、スライド部材保持装置４の保持部材２を任意の第１部材に設けると共に、ロック受け部材１２を任意の第２部材に設け、ロック装置１１で第１部材と第２部材をロック自在としてもよい。
【００９２】
また、上記実施形態では、スライド部材保持装置４がロック装置１１の一構成部材となっている例を示したが、スライド部材保持装置４としてはこれにのみ限定されない。
【００９３】
つまり、保持部材２のスライド部材収納部１にスライド部材３がスライド自在に嵌めこまれ、折取り・折曲げ用端部７を折取り又は折曲げることで、取外し用開口部８から本体部５を取り外すことができるものであれば、ロック部１３を備えたものにのみ限定されない。
【００９４】
例えば、スライド部材３にＯＮ、ＯＦＦなどの表示部を設けて、スライドすることで、ＯＮ、ＯＦＦなどの各種表示を行うようにしたもの等種々のものが考えられる。
【符号の説明】
【００９５】
１  スライド部材収納部
２  保持部材
３  スライド部材
４  スライド部材保持装置
５  本体部
６  抜け止め部
７  折取り・折曲げ用端部
８  取外し用開口部
９  抜け防止部
１１  ロック装置
１２  ロック受け部材
１３  ロック部
１５  ロック受け部
【図１】
0005620260.tif 000002
【図２】
0005620260.tif 000003
【図３】
0005620260.tif 000004
【図４】
0005620260.tif 000005
【図５】
0005620260.tif 000006
【図６】
0005620260.tif 000007
【図７】
0005620260.tif 000008
【図８】
0005620260.tif 000009
【図９】
0005620260.tif 000010
【図１０】
0005620260.tif 000011
【図１１】
0005620260.tif 000012
【図１２】
0005620260.tif 000013
【図１３】
0005620260.tif 000014
【図１４】
0005620260.tif 000015
【図１５】
0005620260.tif 000016
【図１６】
0005620260.tif 000017
【図１７】
0005620260.tif 000018